(57)【要約】【課題】カバーを位置決めするときに使用される位置決め部分が小さい両軸受リールを提供する。【解決手段】カバー１６２を筐体部材１６１に取り付ける際、カバー１６２を位置合わせしながら、カバー１６２を筐体部材１６１の上端側の開口に被せる。位置合わせの際は、筐体部材１６１内に入り込む爪状突起１６２ＢＢの湾曲面１６２ＢＢＡと、突出部１６１Ｂの先端面１６１ＢＡとが合わさるように、カバー１６２の位置（回転位置等）を調整する。このようにして、カバー１６２は、爪状突起１６２ＢＢと突出部１６１Ｂとにより、位置決めされる。カバー１６２の位置決めに用いる、複数組の突出部１６１Ｂ及び突出部１６２Ｂ（爪状突起１６２ＢＢ）（当該各組を「位置決め部分」ともいう。）を、互いに離れた位置に点在させたので、当該位置決め部分が小さくなっている。【選択図】図３
2019068757.tif 000002
【特許請求の範囲】
【請求項１】
内部部品を収容する収容空間を形成するための筐体部材と、
前記筐体部材に締付具により締め付けられ、前記収容空間を上方から覆うカバーと、を備え、
前記筐体部材と前記カバーとのうちの一方は、互いに離れた位置に、上下方向に突出した複数の突起を備え、
前記筐体部材と前記カバーとのうちの他方は、前記複数の突起それぞれに係合することで前記カバーが位置決めされる複数の係合部を備える、
両軸受リール。
【請求項２】
前記筐体部材は、筒状部と、前記複数の係合部と、を備え、
前記複数の係合部は、前記筒状部から内側に突出しており、
前記複数の突起それぞれは、前記カバーが備えるものであり、前記筒状部の内部に入り込み、前記複数の係合部それぞれと係合する、
請求項１に記載の両軸受リール。
【請求項３】
前記筐体部材は、締結具と螺合する複数の螺合孔を備え、
前記複数の螺合孔それぞれは、少なくとも一部分が、前記複数の係合部それぞれに設けられている、
請求項２に記載の両軸受リール。
【請求項４】
前記突起は、その側面に第１曲面を備え、
前記係合部は、前記第１曲面に合った形状の第２曲面であって前記第１曲面と合わさって前記カバーが位置決めされる第２曲面を備える、
請求項１から３のいずれか１項に記載の両軸受リール。
【請求項５】
前記収容空間には、配線が通っており、
前記収容空間の一部を覆うことで前記配線を目隠しする目隠し板をさらに備え、
前記カバーは、前記収容空間と前記目隠し板を覆う、
請求項１から４のいずれか１項に記載の両軸受リール。
【発明の詳細な説明】
【技術分野】
【０００１】
本発明は魚釣り用の両軸受リールに関する。
【背景技術】
【０００２】
両軸受リールには、内部部品を収容する収容空間を形成するための筐体部材と、筐体部材に締付具により締め付けられ、収容空間を覆うカバーと、を備えるものがある。例えば、特許文献１には、筐体部材として側板１０を採用し、カバーとして第１側カバー１３を採用した両軸受リールが開示されている。この両軸受リールでは、第１側カバー１３の全周に段差部が設けられ、この段差部を側板１０に嵌め込むことで、第１側カバー１３が位置決めされる。
【先行技術文献】
【特許文献】
【０００３】
【特許文献１】特開２０００−４７２９号公報
【発明の概要】
【発明が解決しようとする課題】
【０００４】
特許文献１に記載の両軸受リールでは、第１側カバー１３の位置決めに使用される段差部（位置決め部分）が、第１側カバー１３の全周に渡っており大きい。当該段差部（位置決め部分）が大きいと、例えば、内部部品を収容する収容空間がその分小さくなるので、内部部品の大きさ及び配置の自由度が下がってしまう。また、例えば、内部部品に、配線などの位置が完全に固定されない部品を採用した場合、第１側カバー１３の位置決め時（第１側カバー１３の取り付け時）に、当該部品が、前記段差部の位置に被ってしまい、段差部と側板１０とが当該部品を挟んでしまう。
【０００５】
本発明の目的は、上記点に鑑みてなされたものであり、カバーを位置決めするときに使用される位置決め部分が小さい両軸受リールを提供することを目的とする。
【課題を解決するための手段】
【０００６】
本発明に係る両軸受リール（例えば、両軸受リール１００）は、
内部部品（例えば、信号線Ｗなど）を収容する収容空間（例えば、収容空間Ｓ）を形成するための筐体部材（例えば、筐体部材１６１）と、
前記筐体部材に締付具（例えば、ボルトＢ１）により締め付けられ、前記収容空間を上方（例えば、図２等における上方向）から覆うカバー（例えば、カバー１６２）と、を備え、
前記筐体部材と前記カバーとのうちの一方は、互いに離れた位置に、上下方向（例えば、図２等における上下方向）に突出した複数の突起（例えば、爪状突起１６２ＢＢ）を備え、
前記筐体部材と前記カバーとのうちの他方は、前記複数の突起それぞれに係合することで前記カバーが位置決めされる複数の係合部（例えば、突出部１６１Ｂ）を備える。
【０００７】
上記構成により、位置決めに使用される突起及び係合部が点在し、カバーを位置決めするときに使用される位置決め部分を小さくできる（特に、位置決め部分をカバー全周に設けた場合（例えば、上記段差部参照）よりも小さくできる）。
【０００８】
前記筐体部材は、筒状部（例えば、円筒部１６１Ａ）と、前記複数の係合部（例えば、突出部１６１Ｂ）と、を備え、
前記複数の係合部は、前記筒状部から内側（例えば、円筒部１６１Ａの中心軸側）に突出しており（例えば、図４参照）、
前記複数の突起それぞれは、前記カバーが備えるものであり、前記筒状部の内部に入り込み、前記複数の突出部それぞれと係合する（例えば、図４参照）、
ようにしてもよい。
【０００９】
上記構成により上記係合部を筒状部から内側に突出した部分にしたので、その分筒状部の厚み（内周面と外周面との間の長さ）を薄くでき、筒状部の内部空間を大きくできる。
【００１０】
前記筐体部材は、締結具と螺合する複数の螺合孔（例えば、螺合孔１６１Ｃ）を備え、
前記複数の螺合孔それぞれは、少なくとも一部分が、前記複数の係合部それぞれに設けられている（例えば、図３及び図４参照）、
ようにしてもよい。
【００１１】
上記構成により、螺合孔を筒状部に設けない分、筒状部の厚み（内周面と外周面との間の長さ）を薄くでき、筐体部材内部の収容空間を大きくすることができる。
【００１２】
前記突起は、その側面に第１曲面（例えば、湾曲面１６２ＢＢＡ）を備え、
前記係合部は、前記第１曲面に合った形状の第２曲面であって前記第１曲面と合わさって前記カバーが位置決めされる第２曲面（例えば、先端面１６１ＢＡ）を備える、
ようにしてもよい。
【００１３】
上記構成により、突起と係合部とをスムーズに係合させることができる。
【００１４】
前記収容空間には、配線（例えば、信号線Ｗ）が通っており、
前記収容空間の一部を覆うことで前記配線を目隠しする目隠し板（例えば、目隠し板１６８）をさらに備え、
前記カバーは、前記収容空間と前記目隠し板を覆う（例えば、図３参照）、
ようにしてもよい。
【００１５】
上記構成により、配線が、突起と係合部とに挟まれてしまうことを防止できる。また、カバーを取り外したときの意匠性を向上させることができる。
【発明の効果】
【００１６】
本発明によれば、カバーを位置決めするときに使用される位置決め部分が小さい両軸受リールを提供することができる。
【図面の簡単な説明】
【００１７】
【図１】本発明の実施の形態に係る両軸受リールの斜視図
【図２】本発明の実施の形態に係る両軸受リールの第２本体部の分解斜視図
【図３】本発明の実施の形態に係る両軸受リールの第２本体部からカバーを取り外したときの斜視図
【図４】本発明の実施の形態に係る両軸受リールの、筐体部材の突出部と、カバーの爪状突起と、の係合関係を説明するための断面図
【図５】本発明の実施の形態に係る両軸受リールが備える水深カウンタの電気的構成を示すブロック図
【発明を実施するための形態】
【００１８】
以下、本発明を、水深カウンタを有する両軸受リールに適用した実施形態について、図面を参照しながら説明する。下記の説明では、同じ、又は、同等の部分には、同じ符号を付す。
【００１９】
（両軸受リールの構成）
本実施の形態に係る両軸受リール１００の構成を図１〜図５を参照して説明する。両軸受リール１００は、図１などに示すように、リールフット１１０と、第１本体部１２０と、ハンドル１３０と、スプール１４０と、クラッチ操作部１５０と、第２本体部１６０と、連結部１７０と、を備える。両軸受リール１００は、リールフット１１０により、釣竿に取り付けられる。両軸受リール１００は、スプール１４０に均一に糸を巻き回すためのレベルワインド機構（図示せず）なども備える。
【００２０】
第１本体部１２０は、スプール１４０の一端を回転可能に支持している。また、第１本体部１２０には、ハンドル１３０が取り付けられている。第１本体部１２０は、ハンドル１３０の回転をスプール１４０に伝達してスプール１４０を回転させる回転伝達機構（図示せず）を有する。この回転伝達機構は、例えば、複数のギアを含んで構成されている。第１本体部１２０は、その他、クラッチ機構、メカニカルブレーキ、ドラグ機構等も備える。前記クラッチ機構は、オンのときに、ハンドル１３０の回転をスプール１４０に伝達する一方、オフのときは、当該回転をスプール１４０に伝達しない。クラッチ機構のオン／オフは、クラッチ操作部１５０により切り替えることができる。
【００２１】
第２本体部１６０は、図２〜図４などに示すように、筐体部材１６１と、カバー１６２と、電池ケース１６５と、センサ基板収容部１６７と、目隠し板１６８と、目隠し板取付部１６９と、ボルトＢ１〜Ｂ２と、を備える。第２本体部１６０は、スプール１４０の他端を回転可能に支持するボールベアリング、スプール１４０の回転を受けて、レベルワインド機構のウォームシャフトを回転させるための複数のギアなども備える（いずれも不図示）。なお、前記複数のギアは、第１本体部１２０内に配置してもよい。
【００２２】
筐体部材１６１は、円筒状の形状を有する。筐体部材１６１は、両軸受リール１００の本体枠の一部（スプール１４０の前記他端側の円筒状部分）であり、第２本体部１６０の筐体を構成している。カバー１６２は、円形のドーム形状を有し（図３も参照）、ボルトＢ１により、筐体部材１６１に締め付けられて固定されている。これにより、カバー１６２は、筐体部材１６１の一端の開口を覆っている。カバー１６２は、ボルトＢ１により、筐体部材１６１に対して着脱可能となっている。筐体部材１６１とカバー１６２とにより、電池ケース１６５、センサ基板収容部１６７、目隠し板１６８、前記複数のギアなどの内部部品（第２本体部１６０の筐体内部に収められた部品）を収容する収容空間Ｓが画定されている。当該収容空間Ｓは、筐体部材１６１の内部空間Ｓ１と、ドーム状のカバー１６２の内部空間Ｓ２と、を含んでいる。筐体部材１６１及びカバー１６２については、後でさらに詳述する。
【００２３】
電池ケース１６５は、ボタン型電池２００（図５。図１〜図４では図示せず）を収容する。電池ケース１６５は、ケース本体１６５Ａと、蓋１６５Ｂと、Ｏリング１６５Ｃ（図３では省略）と、を備える。ケース本体１６５Ａは、ボタン型電池２００（図５。図１〜図４では図示せず）を収容する収容空間を形成している。ケース本体１６５Ａには、ボタン型電池２００の電極に接触する端子（図示は省略）が設けられている。さらに、ケース本体１６５Ａは、３つのバヨネット溝１６５ＡＡを備え、蓋１６５Ｂは、３つのバヨネット溝１６５ＡＡそれぞれと係合可能な３つのバヨネット突起（図では隠れて見えない）を内側に備える。従って、蓋１６５Ｂは、回転することで、バヨネット式によりケース本体１６５Ａに取り付けられる。Ｏリング１６５Ｃは、ケース本体１６５Ａの側部と蓋１６５Ｂの側部とにより挟まれ、電池ケース１６５内部への海水等の浸入を防止する。
【００２４】
センサ基板収容部１６７は、センサ基板１６６（図５。図１〜図４では図示せず）を収容している。つまり、第２本体部１６０は、センサ基板１６６も備える。センサ基板１６６は、複数の磁気センサ１６６Ａを搭載しており、磁石が設けられたスプール１４０の回転（回転角及び回転方向）を検出する。センサ基板１６６は、検出したスプール１４０の回転を示す電気信号を信号線Ｗ（図２など）により後述の制御基板１７３に供給する。直接図示していないが、信号線Ｗは、センサ基板１６６と制御基板１７３とをつないでおり、筐体部材１６１内つまり内部空間Ｓ１内を通っている。センサ基板収容部１６７は、ケース本体１６５Ａと一体的に形成されている。
【００２５】
目隠し板１６８は、板状の部材であり、信号線Ｗよりもカバー１６２側に配置され、筐体部材１６１内を通る信号線Ｗを目隠している（図２及び３参照）。目隠し板１６８は、目隠し板取付部１６９にボルトＢ２により取り付けられている。目隠し板取付部１６９は、電池ケース１６５のケース本体１６５Ａと一体的に形成されている。なお、目隠し板１６８は、設けなくても良い。
【００２６】
連結部１７０は、スプール１４０を間に置いて離れている第１本体部１２０と第２本体部１６０とを連結している。連結部１７０は、表示装置１７１と、電源／リセットボタン１７２と、制御基板１７３（図５。図１〜４では図示せず。）と、を備える。表示装置１７１と、電源／リセットボタン１７２と、制御基板１７３とは、第２本体部１６０が備えるセンサ基板１６６とともに、水深カウンタ（以下、水深カウンタＣという。）を構成している。
【００２７】
水深カウンタＣの電気的構成を図５に示す。水深カウンタＣは、電池ケース１６５に収容されたボタン型電池２００により動作する。表示装置１７１は、液晶表示装置等であり、釣りの仕掛けの現在の水深（繰り出した釣り糸の長さ）を制御基板１７３の制御のもとで表示する。電源／リセットボタン１７２は、仕掛けの水深の表示を開始したり（電源オン）、終了したり（電源オフ）、リセットしたりするために使用される。制御基板１７３は、連結部１７０内部に搭載されている。制御基板１７３は、マイクロコンピュータ等のプロセッサを備え、当該プロセッサにより、表示装置１７１の制御等を行う。
【００２８】
制御基板１７３（プロセッサ）は、センサ基板１６６からの前記電気信号に基づいて、スプール１４０から繰り出された又はスプール１４０に巻かれた釣り糸の長さを特定し、特定した長さに基づいて表示装置１７１に表示している仕掛けの現在の水深を増減させる。電源／リセットボタン１７２は、押し下げ操作がなされたときに、押し下げ操作がなされたことを示す操作信号を制御基板１７３に供給する。制御基板１７３は、操作信号に基づいて、起動（水深の表示開始：電源オン）したり、シャットダウン（水深の表示終了：電源オフ）したり、表示装置１７１に表示している仕掛けの現在の水深をリセット（水深の表示のリセット）したりする（例えば、短押し時は、電源オン又はオフが行われ、長押し時は、水深のリセットが行われる）。
【００２９】
ここで、筐体部材１６１及びカバー１６２の詳細を、図３及び図４を参照して説明する。なお、下記の説明では、カバー１６２側（両軸受リール１００を取り付けた釣竿を持ったユーザから見て左側）を「上」、ハンドル側（前記のユーザから見て右側）を「下」として説明する（図２も参照）。また、筐体部材１６１の中心軸及びカバー１６２の中心軸（両者は一致する）を中心軸Ｄ（図２も参照）とする。これら定義は、他でも適宜使用される（上下方向は、実際の天地方向でなくてもよい）。
【００３０】
筐体部材１６１は、円筒状の円筒部１６１Ａと、当該円筒部１６１の内壁から内側（中心軸Ｄの方向）に突出した３つの突出部１６１Ｂと、３つのボルトＢ１とそれぞれ螺合する３つの螺合孔１６１Ｃと、を備える。円筒部１６１Ａと３つの突出部１６１Ｂとは一体的に形成されている。
【００３１】
３つの突出部１６１Ｂは、互いに離れた位置に配置されている。ここでは、３つの突出部１６１Ｂは、中心軸Ｄを中心に、１２０度間隔で配置されている。各突出部１６１Ｂにおける上面と、円筒部１６１Ａにおける上面の一部（突出部１６１Ｂの上面に続く面）とは、面一に形成されており、これら面により構成される筐体部材１６１の上面Ｍ１は、段差の無い平面として形成されている。各突出部１６１Ｂは、突出方向の先端に、円筒部１６１Ａの外側（中心軸Ｄの方向と反対方向）に向かって凹んだ曲面からなる先端面１６１ＢＡを有する。各先端面１６１ＢＡは、内側（中心軸Ｄの方向）を向いている。
【００３２】
３つの螺合孔１６１Ｃは、筐体部材１６１の上面Ｍ１に設けられている。各螺合孔１６１Ｃは、各先端面１６１ＢＡの近傍に位置する。螺合孔１６１Ｃと、その近傍に位置する先端面１６１ＢＡとは、円筒部１６１Ａの径方向に沿って配列されている。螺合孔１６１Ｃは、先端面１６１ＢＡよりも外側（円筒部１６１Ａの外周面側）に位置している。各螺合孔１６１Ｃは、各突出部１６１Ｂ内に位置しているが、螺合孔１６１Ｃは、突出部１６１Ｂと円筒部１６１Ａとにまたがって位置してもよい。つまり、螺合孔１６１Ｃは、その少なくとも一部分が、突出部１６１Ｂに設けられていればよい。このような構成により、円筒部１６１Ａの厚み（内周面と外周面との間の長さ）を、螺合孔１６１Ｃ分確保しなくてよく、当該厚みを薄くできる。
【００３３】
カバー１６２は、筐体部材１６１に上方から取り付けられる。カバー１６２は、上方から見た場合に円形で、かつ、ドーム形状のドーム部１６２Ａと、ドーム部１６２Ａの内壁から内側（中心軸Ｄの方向）に突出した３つの突出部１６２Ｂと、３つのボルトＢ１それぞれが通る貫通孔１６２Ｃと、を備える。ドーム部１６２Ａと３つの突出部１６２Ｂとは、一体的に形成されている。
【００３４】
３つの突出部１６２Ｂは、筐体部材１６１の３つの突出部１６１Ｂと、一対一で対応している。従って、３つの突出部１６２Ｂも、互いに離れた位置にあり、ここでは、中心軸Ｄを中心に、１２０度間隔で配置されている。
【００３５】
３つの突出部１６２Ｂは、それぞれ、ドーム部１６２Ａの内壁から内側（中心軸Ｄの方向）に突出した部分である突出部本体１６２ＢＡと、当該突出部本体１６２ＢＡから上下方向（ここでは下方）に突出した爪状突起１６２ＢＢと、を備える。突出部本体１６２ＢＡの下面（爪状突起１６２ＢＢが無い面）と、ドーム部１６２Ａにおける下面の一部（突出部本体１６２ＢＡの下面に続く面）とは、面一に形成されており、各面により構成されるカバー１６２の下面Ｍ２は、段差の無い平面として形成されている。当該下面Ｍ２は、筐体部材１６１の上面Ｍ１と合わさる。爪状突起１６２ＢＢは、円柱を軸方向に沿って切った形状（略半円柱状ともいう）に形成されており、当該切ったことにより形成される面（側面）として、湾曲面１６２ＢＢＡを備える。湾曲面１６２ＢＢＡは、曲面であり、ドーム部１６２Ａの外側（ドーム部１６２Ａの外周方向）に向いて当該外側に膨らんでいる。
【００３６】
爪状突起１６２ＢＢは、筐体部材１６１の上面Ｍ１と合わさるカバー１６２の下面Ｍ２よりも下方に突出しているため、カバー１６２を筐体部材１６１に正しい位置で取り付けると、各爪状突起１６２ＢＢが円筒部１６１Ａ（内部空間Ｓ１）内に入り込む。そして、各湾曲面１６２ＢＢＡと、各先端面１６１ＢＡとは、一対一で接触する。ここで、湾曲面１６２ＢＢＡと、突出部１６１Ｂの先端面１６１ＢＡ（曲面）とは、対応するもの同士で、形状（曲率等）が合わせてある。従って、カバー１６２を筐体部材１６１に正しい位置で取り付けると、湾曲面１６２ＢＢＡと、先端面１６１ＢＡとが一対一で合わさって、湾曲面１６２ＢＢＡ（爪状突起１６２ＢＢ）と、先端面１６１ＢＡ（突出部１６１Ｂ）とが一体一で係合する。よって、この実施の形態では、爪状突起１６２ＢＢと、突出部１６１Ｂと、で、カバー１６２を筐体部材１６１に取り付ける際のカバー１６２の位置決めが行われる。
【００３７】
３つの貫通孔１６２Ｃは、カバー１６２の下面Ｍ２に設けられている。各貫通孔１６２Ｃは、筐体部材１６１の各螺合孔１６１Ｃと、一対一で対応している。貫通孔１６２Ｃと、螺合孔１６１Ｃとは、対応するもの同士で連通している。ボルトＢ１は、貫通孔１６２Ｃを通り螺合孔１６１Ｃと螺合することで、カバー１６２を筐体部材１６１に締め付け、固定する。３つの貫通孔１６２Ｃそれぞれは、３つの爪状突起１６２ＢＢ（又は突出部１６１Ｂ）それぞれの近傍に位置する。貫通孔１６２Ｃと、その近傍に位置する爪状突起１６２ＢＢとは、下方から見た場合に、ドーム部１６２Ａの径方向（円筒部１６１Ａの径方向とも言える）に沿って配列されている。各貫通孔１６２Ｃは、各爪状突起１６２ＢＢよりも外側（ドーム部１６２Ａの外周側）に位置している。貫通孔１６２Ｃは、それぞれ、突出部１６２Ｂ（特に突出部本体１６２ＢＡ）とドーム部１６２Ａとにまたがって位置している。貫通孔１６２Ｃは、突出部１６２Ｂ（特に突出部本体１６２ＢＡ）の位置に設けられてもよい。貫通孔１６２Ｃは、その少なくとも一部分が、突出部１６２Ｂ（特に突出部本体１６２ＢＡ）に設けられていればよい。このような構成により、ドーム部１６２Ａの厚み（内周面と外周面との間の長さ）を、貫通孔１６２Ｃ分確保しなくてよく、当該厚みが薄くできる。
【００３８】
カバー１６２を筐体部材１６１に取り付ける際、カバー１６２を位置合わせしながら、カバー１６２を筐体部材１６１の上端側の開口に上方から被せる。位置合わせの際は、筐体部材１６１内に入り込む爪状突起１６２ＢＢの湾曲面１６２ＢＢＡと、突出部１６１Ｂの先端面１６１ＢＡとが合わさるように、カバー１６２の位置（回転位置等）を調整する。このようにして、カバー１６２は、爪状突起１６２ＢＢと突出部１６１Ｂとにより、位置決めされる。そして、ボルトＢ１を、貫通孔１６２Ｃを介して螺合孔１６１Ｃに螺合させる。これにより、カバー１６２が筐体部材１６１に締め付けられ、固定される。
【００３９】
上述のように、筒状の筐体部材１６１は、内部空間Ｓ１を形成しており、ドーム状のカバー１６２は、内部空間Ｓ２を形成している。内部空間Ｓ１には、センサ基板収容部１６７、目隠し板１６８、図示しないスプール１４０の他端を支持するボールベアリング、信号線Ｗなどが収容される。電池ケース１６５は、筐体部材１６１よりも上方に突き出ており（図３などを参照）、内部空間Ｓ２に収容される。筐体部材１６１は、カバー１６２とともに収容空間Ｓを形成するための部材ともいえる。カバー１６２は、筐体部材１６１に取り付けられた状態において、センサ基板収容部１６７、目隠し板１６８、電池ケース１６５などを上方から覆っている。つまり、カバー１６２は、筐体部材１６１に取り付けられた状態において、内部空間Ｓ２を覆っているので、内部空間Ｓ２を含む収容空間Ｓを上方から覆う部材ともいえる。
【００４０】
（実施の形態上の効果）
この実施の形態では、カバー１６２の位置決めに用いる、複数組の突出部１６１Ｂ及び突出部１６２Ｂ（爪状突起１６２ＢＢ）（以下、各組を「位置決め部分」ともいう。）を、互いに離れた位置に点在させたので、当該位置決め部分が小さくなっている。これにより、収容空間Ｓが広くなっている。さらに、カバー１６２を筐体部材１６１に取り付ける際、信号線Ｗ（特に、目隠し板１６８を設けない場合）等が、位置決め部と被り難く、当該位置決め部により挟まれる可能性も低くなっている。
【００４１】
また、カバー１６２が備える爪状突起１６２ＢＢ（ドーム部１６２Ａから下方に突出している突起）は、カバー１６２を筐体部材１６１に取り付ける際、円筒部１６１Ａの内部に入り込み、当該円筒部１６１Ａから内側に突出した突出部１６１Ｂに係合するので、円筒部１６１Ａの厚み（内周面と外周面との間の長さ）が薄くなっており、内部空間Ｓ１を大きくできる。
【００４２】
また、螺合孔１６１Ｃの少なくとも一部分が、突出部１６１Ｂに設けられることで、円筒部１６１Ａの厚み（内周面と外周面との間の長さ）を、螺合孔１６１Ｃ分厚くする必要がなくなり、当該厚みを薄くできる。さらに、貫通孔１６２Ｃの少なくとも一部分が、突出部１６２Ｂ（特に突出部本体１６２ＢＡ）に設けられることで、ドーム部１６２Ａの厚み（内周面と外周面との間の長さ）（特に、下端部の厚み）を、貫通孔１６２Ｃ分厚くする必要がなくなり、当該厚みを薄くできる。
【００４３】
爪状突起１６２ＢＢの湾曲面１６２ＢＢＡと、突出部１６１Ｂの先端面１６１ＢＡとを合わせることで、爪状突起１６２ＢＢと、突出部１６１Ｂとを係合させるので、カバー１６２の位置決めをスムーズに行える。
【００４４】
また、突出部１６１Ｂ（先端面１６１ＢＡ）と螺合孔１６１Ｃとを、近傍、かつ、筐体部材１６１の径方向に沿って配列し、爪状突起１６２ＢＢ（湾曲面１６２ＢＢＡ）と貫通孔１６２Ｃとも、近傍、かつ、カバー部材１６２の径方向（筐体部材１６１の径方向）に沿って配列したので、カバー１６２を取り付ける際、ユーザは、螺合孔１６１Ｃ及び貫通孔１６２Ｃの位置から、先端面１６１ＢＡ及び湾曲面１６２ＢＢＡ（位置決め部分）の位置を把握しやすく、カバー１６２の位置決めをスムーズに行える。
【００４５】
さらに、収容空間Ｓ（ここでは、内部空間Ｓ１）を通る信号線Ｗを目隠しする目隠し板１６８を設け、カバー１６２は、収容空間Ｓと目隠し板１６８を覆う（例えば、図３参照）ので、信号線Ｗが目隠し板１６８により抑えられ、信号線Ｗが位置決め部分に挟まれてしまうことを防止できる。さらに、信号線Ｗが見にくくなっているので、カバー１６２を取り外した際の、第２本体部１６０の内部の意匠性が向上している。
【００４６】
（変形例）
本発明は、上述した実施の形態に限定されるわけではなく、上記実施の形態を変更したものも本発明の範囲に含まれる。例えば、本発明は、水深カウンタを有さない両軸受リールなどの他の両軸受リールにも適用可能である。
【００４７】
筐体部材１６１が、突出部１６２Ｂ（雄の係合部）を備えるようにし（爪状突起１６２ＢＢの突出方向は当然上下逆となる）、カバー１６２が、突出部１６１Ｂ（雌の係合部）を備えるようにしてもよい。
【００４８】
上記各種部材等の構成要素の形状等は、適宜変更可能である。例えば、爪状突起１６２ＢＢは、多角柱形状であってもよい。筐体部材１６１等の各種部材は、ある部材の一部でもよいし、複数の部材から構成されたものであってもよい。筐体部材１６１は、カバー１６２側とは反対側の端部が閉口であってもよい。筐体部材１６１は、断面が多角形の筒状（筒状とは、その断面が円形でないものを含む。）であってもよい。カバー１６２も、上方から見た形状が多角形のドーム状であってもよい。なお、カバー１６２は、上端側が閉口の円筒状（ペットボトルの蓋のような形状）であってもよい。また、カバー１６２は、円板状であってもよい。筐体部材１６１とカバー１６２とは、これらの組合せにより、両軸受リール１００の内部部品を内部に収容できれば、どのような形状であってもよい。
【００４９】
筐体部材１６１とカバー１６２とにより形成される収容空間Ｓに収容される内部部品は、上記電池ケース１６５等に限られない。収容空間Ｓに収容される内部部品は、各種基板、各種ギア、及び、信号線Ｗ以外の他の配線のいずれかであってもよい。前記他の配線としては、電池ケース１６５から制御基板１７３又はセンサ基板１６６に電力を供給するための電力線等が挙げられる。信号線Ｗを、制御基板１７３とセンサ基板１６６とを接続する電力線及び信号線をまとめた配線としてもよい。これら配線は、目隠し板１６８により目隠しされるとよい。収容空間Ｓに収容される内部部品は、バネ等であってもよい。
【符号の説明】
【００５０】
１００  両軸受リール
１１０  リールフット
１２０  第１本体部
１３０  ハンドル
１４０  スプール
１５０  クラッチ操作部
１６０  第２本体部
１６１  筐体部材
１６１Ａ  円筒部
１６１Ｂ  突出部
１６１ＢＡ  先端面
１６１Ｃ  螺合孔
１６２Ａ  ドーム部
１６２Ｂ  突出部
１６２ＢＡ  突出部本体
１６２ＢＢ  爪状突起
１６２ＢＢＡ  湾曲面
１６２Ｃ  貫通孔
１６２  カバー
Ｂ１  ボルト
１６５  電池ケース
１６５Ａ  ケース本体
１６５ＡＡ  バヨネット溝
１６５Ｂ  蓋
１６５Ｃ  Ｏリング
１６６  センサ基板
１６６Ａ  磁気センサ
１６７  センサ基板収容部
１６８  目隠し板
１６９  目隠し板取付部
Ｂ２  ボルト
１７０  連結部
１７１  表示装置
１７２  電源／リセットボタン
１７３  制御基板
Ｃ  水深カウンタ
Ｗ  信号線
２００  ボタン型電池
【図１】
2019068757.tif 000003
【図２】
2019068757.tif 000004
【図３】
2019068757.tif 000005
【図４】
2019068757.tif 000006
【図５】
2019068757.tif 000007